【手続補正書】
【提出日】平成15年10月28日(2003.10.28)
【手続補正１】
【補正対象書類名】明細書
【補正対象項目名】特許請求の範囲
【補正方法】変更
【補正の内容】
【特許請求の範囲】
【請求項１】
対向する２つの基板と、該２つの基板の間に封入された液晶と、前記液晶を画素毎に駆動する横方向の電界を発生する電極とを有する液晶表示装置において、
前記各画素は液晶配向状態の異なる複数の領域を有し、かつ前記複数の領域の配向状態は、各領域毎の視野方向による表示特性の変化を互いに補償するように設定されていることを特徴とする液晶表示装置。
【請求項２】
前記各領域の液晶を駆動する電極は全て同一基板上に設けられていることを特徴とする請求項１に記載の液晶表示装置。
【請求項３】
前記電極は、同じ配向状態を有する領域毎に別々の前記基板上に形成されていることを特徴とする請求項１に記載の液晶表示装置。
【請求項４】
前記液晶を駆動する電極が基板面に対して帯状に設けられ、前記各領域の帯状電極の長手方向は互いに平行であることを特徴とする請求項２又は３に記載の液晶表示装置。
【請求項５】
前記液晶を駆動する電極が基板面に対して帯状に設けられ、前記各領域の帯状電極の長手方向は互いに直交し、又は交差していることを特徴とする請求項２又は３に記載の液晶表示装置。
【請求項６】
前記各領域の液晶の誘電率異方性はいずれも正であり、又はいずれも負であることを特徴とする請求項１乃至５のいずれか一に記載の液晶表示装置。
【請求項７】
前記各領域の液晶の誘電率異方性のうち少なくともいずれかが正で、それ以外の領域の液晶の誘電率異方性が負であることを特徴とする請求項１乃至５のいずれか一に記載の液晶表示装置。
【請求項８】
前記液晶の誘電率異方性が正である領域の配向膜のラビング方向は、前記基板面に平行な面内において前記帯状電極の長手方向から０°乃至４５°の範囲内の角度だけずらした方向に設定してあることを特徴とする請求項６又は７に記載の液晶表示装置。
【請求項９】
前記液晶の誘電率異方性が負である領域の配向膜のラビング方向は、前記基板面に平行な面内において前記帯状電極の長手方向に垂直な方向から０°乃至４５°の範囲内の角度だけずらした方向に設定してあることを特徴とする請求項６又は７に記載の液晶表示装置。
【手続補正２】
【補正対象書類名】明細書
【補正対象項目名】００１０
【補正方法】変更
【補正の内容】
【００１０】
【課題を解決するための手段】
課題を解決するために、請求項１記載の発明は、液晶表示装置に係り、対向する２つの基板と、該２つの基板の間に封入された液晶と、前記液晶を画素毎に駆動する横方向の電界を発生する電極とを有する液晶表示装置において、前記各画素は液晶配向状態の異なる複数の領域を有し、かつ前記複数の領域の配向状態は、各領域毎の視野方向による表示特性の変化を互いに補償するように設定されていることを特徴とし、
請求項２記載の発明は、請求項１に記載の液晶表示装置に係り、前記各領域の液晶を駆動する電極は全て同一基板上に設けられていることを特徴とし、
請求項３記載の発明は、請求項１に記載の液晶表示装置に係り、前記電極は、同じ配向状態を有する領域毎に別々の前記基板上に形成されていることを特徴とし、
請求項４記載の発明は、請求項２又は３に記載の液晶表示装置に係り、前記液晶を駆動する電極が基板面に対して帯状に設けられ、前記各領域の帯状電極の長手方向は互いに平行であることを特徴とし、
請求項５記載の発明は、請求項２又は３に記載の液晶表示装置に係り、前記液晶を駆動する電極が基板面に対して帯状に設けられ、前記各領域の帯状電極の長手方向は互いに直交し、又は交差していることを特徴とし、
請求項６記載の発明は、請求項１乃至５のいずれか一に記載の液晶表示装置に係り、前記各領域の液晶の誘電率異方性はいずれも正であり、又はいずれも負であることを特徴とし、
請求項７記載の発明は、請求項１乃至５のいずれか一に記載の液晶表示装置に係り、前記各領域の液晶の誘電率異方性のうち少なくともいずれかが正で、それ以外の領域の液晶の誘電率異方性が負であることを特徴とし、
請求項８記載の発明は、請求項６又は７に記載の液晶表示装置に係り、前記液晶の誘電率異方性が正である領域の配向膜のラビング方向は、前記基板面に平行な面内において前記帯状電極の長手方向から０°乃至４５°の範囲内の角度だけずらした方向に設定してあることを特徴とし、
請求項９記載の発明は、請求項６又は７に記載の液晶表示装置に係り、前記液晶の誘電率異方性が負である領域の配向膜のラビング方向は、前記基板面に平行な面内において前記帯状電極の長手方向に垂直な方向から０°乃至４５°の範囲内の角度だけずらした方向に設定してあることを特徴としている。


【手続補正３】
【補正対象書類名】明細書
【補正対象項目名】００１１
【補正方法】変更
【補正の内容】
【００１１】
本発明では、各画素は液晶配向状態の異なる複数の領域を有し、かつ複数の領域の配向状態は、各領域毎の視野方向による表示特性の変化を互いに補償するように設定されている。
このため、視野角によって一つの画素内の一の領域で透過光の強度が弱まり、階調反転が生じたとしても、階調反転が起こっていない他の領域の透過光によって補われるので、一つの画素全体として見た場合、階調反転が起こっていないように見える。これにより、視角特性が改善される。


【手続補正４】
【補正対象書類名】明細書
【補正対象項目名】００１２
【補正方法】変更
【補正の内容】
【００１２】
そして、上記は、各領域での液晶分子を駆動する電極の方向、電極の方向に対応するラビング方向、電界駆動により液晶分子の長軸方向が向く方向が異なる液晶の誘電率異方性等を、請求項４乃至９に記載するように適当に組み合わせることにより、実現可能である。
また、横電界駆動方式の液晶表示装置では、液晶分子を駆動する帯状電極は一組として一つの基板上に形成されるが、特に互いに異なる配向状態を有する領域に対応して帯状電極の方向が異なるような場合、同一の基板上にすべての領域の帯状電極を形成することは難しくなるので、方向が揃った帯状電極同士のグループに分け、そのグループごとにそれぞれ異なる基板上に形成するようにするとよい。これにより、帯状電極の配置を無理のないものとすることができるので、視角特性の更なる向上を図ることができる。


【手続補正５】
【補正対象書類名】明細書
【補正対象項目名】００４３
【補正方法】変更
【補正の内容】
【００４３】
【発明の効果】
以上のように、本発明では、各画素は液晶配向状態の異なる複数の領域を有し、かつ複数の領域の配向状態は、各領域毎の視野方向による表示特性の変化を互いに補償するように設定されている。これにより、各領域で階調反転が生じたとしても、一つの画素全体として見た場合、階調反転が起こっていないように見えるので、視角特性が改善される。


【手続補正６】
【補正対象書類名】明細書
【補正対象項目名】００４４
【補正方法】変更
【補正の内容】
【００４４】
そして、上記は、各領域での液晶分子を駆動する電極の方向、電極の方向に対応するラビング方向、電界駆動により液晶分子の長軸方向が向く方向が異なる液晶の誘電率異方性等を適当に組み合わせることにより、実現可能である。
また、配向状態が異なる領域に対応して帯状電極の方向が異なるような場合、方向が揃った帯状電極同士のグループに分け、そのグループごとにそれぞれ異なる基板上に形成するようにすることにより、帯状電極の基板上での配置や配線接続が簡単になる。これにより、帯状電極の配置を無理のないものとすることができるので、視角特性の更なる向上を図ることができる。